(57)【特許請求の範囲】
【請求項１】
本体と、該本体にリベットで回動可能に連結されたアームとで構成される蝶番において、
前記本体は、キャビネット本体に固定される固定部と、該固定部から略水平に延設されて貫通孔を有する被係合部とを備え、
前記アームは、扉の上端面に固定される固定部と、該固定部から同一平面状に延設されて第１貫通孔を有する第１水平部および該第１水平部から上方へ延設された垂直部および該垂直部の上方側から水平に延設されて前記第１貫通孔よりも小径の第２貫通孔を有する第２水平部とからなる断面略コの字状の係合部とを備え、
前記リベットは、前記第１貫通孔と略同径の軸部と、該軸部の一端側の頭部と、該軸部の他端側の前記第２貫通孔と略同径の凸部とを備え、
前記本体の被係合部を前記アームの係合部に係合させて前記第１貫通孔と本体の貫通孔と第２貫通孔を整合させた状態で、前記第１貫通孔から前記リベットを通し、該リベットの凸部を前記第２貫通孔の外側でかしめるとともに、前記第１貫通孔内に前記リベットの頭部を呑み込ませて、前記本体と前記アームを連結した蝶番
を用いたキャビネットであって、
蝶番の前記本体の固定部をキャビネット本体に固定し、蝶番の前記アームの固定部および第１水平部を扉の上端面に固定し、前記リベットの頭部を前記扉の上端面に当接させて隠蔽させた
ことを特徴とする蝶番を用いたキャビネット。
【発明の詳細な説明】
【技術分野】
【０００１】
本発明は、蝶番を用いたキャビネットに関するものである。
【背景技術】
【０００２】
従来、特許文献１に開示されているような蝶番を用いて、ドアを開閉可能に取り付けた構造が存在する。
【特許文献１】実開平５−２２７８７号公報
【発明の開示】
【発明が解決しようとする課題】
【０００３】
従来の蝶番の構造では、扉の開閉を続けるとキャップが磨耗して外れ、枢軸が脱落し、最後には扉も脱落する虞があるという問題点があった。
【課題を解決するための手段】
【０００４】
本発明は上記従来の問題点に鑑み案出したものであって、リベットが外れることがなく、扉の脱落が生ずることのない蝶番を用いたキャビネットを提供せんとするものであり、その請求項１は、本体と、該本体にリベットで回動可能に連結されたアームとで構成される蝶番において、
前記本体は、キャビネット本体に固定される固定部と、該固定部から略水平に延設されて貫通孔を有する被係合部とを備え、
前記アームは、扉の上端面に固定される固定部と、該固定部から同一平面状に延設されて第１貫通孔を有する第１水平部および該第１水平部から上方へ延設された垂直部および該垂直部の上方側から水平に延設されて前記第１貫通孔よりも小径の第２貫通孔を有する第２水平部とからなる断面略コの字状の係合部とを備え、
前記リベットは、前記第１貫通孔と略同径の軸部と、該軸部の一端側の頭部と、該軸部の他端側の前記第２貫通孔と略同径の凸部とを備え、
前記本体の被係合部を前記アームの係合部に係合させて前記第１貫通孔と本体の貫通孔と第２貫通孔を整合させた状態で、前記第１貫通孔から前記リベットを通し、該リベットの凸部を前記第２貫通孔の外側でかしめるとともに、前記第１貫通孔内に前記リベットの頭部を呑み込ませて、前記本体と前記アームを連結した蝶番
を用いたキャビネットであって、
蝶番の前記本体の固定部をキャビネット本体に固定し、蝶番の前記アームの固定部および第１水平部を扉の上端面に固定し、前記リベットの頭部を前記扉の上端面に当接させて隠蔽させたことである。
【発明の効果】
【０００５】
蝶番のアームを扉に固定した際に、アームの固定部および第１水平部とリベットの頭部とが略面一状に扉の上端面に当接して、リベットの頭部が隠され、リベットの凸部のかしめ部分が磨耗してもリベットが外れることがなく、扉の開け閉めを繰り返した場合でもリベットが外れることがなく、扉が外れることのないキャビネットを構成することができる。
【実施例】
【０００６】
以下、本発明の実施例を図面に基づいて説明する。
図１は、キャビネットの扉を開けた状態の要部斜視構成図であり、図２は、図１の要部を拡大して示す要部拡大構成図である。また図３は、角度を変えて上方側から見た要部拡大構成図である。
【０００７】
キャビネット１は、本体２と、開閉可能な扉３で構成されており、本体２の上前板２ａと扉３の上端の扉枠３ａ間に蝶番４を配設して、この蝶番４により扉３を開閉できるように構成したものである。
この蝶番４は、図４にアームの開いた状態を拡大斜視図で示し、また図５でアームを閉じた状態の斜視図を示し、さらに図６では平面図を、図７では図６のＡ−Ａ線断面図を、図８では側面図を、さらに図９で、アームが全開状態の平面図で示すような構造となっている。
【０００８】
蝶番４は、本体５と、本体５に対し回動するアーム６と、本体５とアーム６を連結するリベット９およびワッシャー８で構成されている。
本体５は、キャビネットの上前板２ａに当接状に固定される固定部５ａと、この固定部５ａの上端から手前側へ略水平に折り曲げられた水平部５ｂと、水平部５ｂの図示右端側でさらに傾斜して手前側へ水平に延びる平面視半円形状の被係合部５ｃで構成され、この被係合部５ｃの右端側の水平部５ｂには、傾斜状に切り欠いてストッパー部５ｄが形成されている。
【０００９】
一方、アーム６は、扉枠３ａの上端面に固定される固定部６ａと、この固定部６ａから同一平面状に延びる第１水平部６ｂと、この第１水平部６ｂの図示右端側で連続して上方へ立ち上がる垂直部６ｃと、垂直部６ｃの上端で第１水平部６ｂと平行状に略水平に折れ曲がった第２水平部６ｄで構成され、この第１水平部６ｂ，垂直部６ｃ，第２水平部６ｄで断面コの字状の係合部Ｋが形成されており、この断面コの字状の係合部Ｋ内に前記本体の被係合部５ｃを上下に平ワッシャー８を介在させて嵌め込むことができるように構成されている。
【００１０】
なお、アームの第１水平部６ｂには、下面が皿状の凹部となっている第１貫通孔７ａが上下に貫通形成されており、また、第２水平部６ｄには第１貫通孔７ａよりも小径の第２貫通孔７ｂが上下に貫通形成されている。
なお、本例では、この第２貫通孔７ｂは四角形状の貫通孔で構成されている。
また、前記本体の被係合部５ｃには、前記第１貫通孔７ａおよび第２貫通孔７ｂと整合する貫通孔７ｃが形成されており、この本体側の貫通孔７ｃは第１貫通孔７ａと同径に形成されている。
【００１１】
また、固定用のビスを差し込むための皿孔７ｄ，７ｄ，７ｄが３個、前記本体の固定部５ａに貫通形成されており、一方のアーム６の固定部６ａには２個の皿孔７ｅ，７ｅが上下に貫通されており、この皿孔７ｅ，７ｅは上面が皿状に形成されたものである。
アーム６の係合部Ｋ内に本体の被係合部５ｃをワッシャー８を上下に介在させて嵌め込んだ状態で、第１貫通孔７ａの下方よりリベット９を差し込むことができ、リベット９は、他の部材と同様なステンレス製で形成されており、図１１の平面図および図７に示すように、貫通孔７ｃおよび第１貫通孔７ａとほぼ同径の軸部９ａの下端側に大径の皿状の頭部９ｂが形成されており、上端側には突出状に四角柱状の凸部９ｃが形成されている。
【００１２】
第１貫通孔７ａは下端が下方向きに拡径した皿状に形成されているため、この第１貫通孔７ａ内にリベット９の頭部９ｂが呑み込まれて、第１貫通孔７ａの下端と頭部９ｂの下端が面一状となってリベット９が貫通孔７ａ，７ｂ，７ｃ内に嵌め込まれ、リベット９の凸部９ｃはアームの第２貫通孔７ｂの外側で上方からかしめられて、凸部９ｃは第２貫通孔７ｂ内に固定状となり、この状態でリベット９は固定されて、リベット９の軸部９ａを軸として本体５に対しアーム６が水平面内で回動できるものであり、図９のように、アーム６を全開させた状態では、係合部Ｋの後端面がストッパー部５ｄに当接して、これにより、これ以上の角度での回動が抑制されて、破損が防がれるように構成されている。
【００１３】
このようにリベット９を介して本体５とアーム６を回動可能に連結しておき、この状態で図１０に示すように、アームの固定部６ａを扉枠３ａの上端面にビス１０で固定すると、リベット９の頭部９ｂは扉枠３ａの上端面に隠されることとなり、この状態で扉枠３ａの上面にアームの固定部６ａと第１水平部６ｂが当接状となる。
従って、このように扉枠３ａに固定することにより、リベット９が磨耗してもリベット９は下方側へ外れることはなく、従って扉３が脱落することがないものとなる。従って、扉の開け閉めを繰り返しても扉が外れることのないキャビネットを構成することができるものである。
【００１４】
なお、本例では、リベット９の凸部９ｃとアームの第２貫通孔７ｂを四角形状としたため、第２貫通孔７ｂ内にリベットの凸部９ｃが嵌合状態で回り止めされており、アーム６を回動させた場合にもリベット９が同期して回動することがなくなり、リベット９の凸部９ｃの磨耗が抑制されて、蝶番４の耐久性が向上したものとなる。
【図面の簡単な説明】
【００１５】
【図１】蝶番を介してキャビネットの本体に扉を取り付けた状態の斜視構成図である。
【図２】図１の蝶番の部分の要部拡大構成図である。
【図３】さらに蝶番を上方側から見た、扉の開いた状態の要部拡大構成図である。
【図４】アームを開けた状態の蝶番の拡大斜視構成図である。
【図５】アームを閉じた状態の蝶番の拡大斜視構成図である。
【図６】蝶番のアームを閉じた状態の平面構成図である。
【図７】図６のＡ−Ａ線断面構成図である。
【図８】蝶番の側面構成図である。
【図９】蝶番のアームの全開状態の平面構成図である。
【図１０】蝶番の扉枠への取付状態の側面構成図である。
【図１１】リベットの平面構成図である。
【符号の説明】
【００１６】
１  キャビネット
２  本体
２ａ  上前板
３  扉
３ａ  扉枠
４  蝶番
５  本体
５ａ  固定部
５ｂ  水平部
５ｃ  被係合部
５ｄ  ストッパー部
６  アーム
６ａ  固定部
６ｂ  第１水平部
６ｃ  垂直部
６ｄ  第２水平部
７ａ  第１貫通孔
７ｂ  第２貫通孔
７ｃ  貫通孔
７ｄ，７ｅ  皿孔
８  ワッシャー
９  リベット
９ａ  軸部
９ｂ  頭部
９ｃ  凸部
Ｋ  係合部
【図１】
0004813186.tif 000002
【図２】
0004813186.tif 000003
【図３】
0004813186.tif 000004
【図４】
0004813186.tif 000005
【図５】
0004813186.tif 000006
【図６】
0004813186.tif 000007
【図７】
0004813186.tif 000008
【図８】
0004813186.tif 000009
【図９】
0004813186.tif 000010
【図１０】
0004813186.tif 000011
【図１１】
0004813186.tif 000012